(57)【要約】      （修正有）【課題】実用性のある新しいシャワーヘッドの散水コントロール機構を提供する。【解決手段】その特徴は貫通穴２０をシャワーヘッド１０のグリップ１１底に開け、固定式ガイド台座３０をグリップの内側の固定位置に設け、三角形のガイドブロック３１を設置し、ガイドブロックには、導入斜面３２・ストップ溝３３及び返還ガイド面３４を含む。導入斜面と弾力性ラバーのガイド柱１３２が相応し、又導入斜面とストップ溝の間には曲角部分によってリンクし、スライドボタン４０がグリップの底の表側に設置され、貫通穴に沿って上下に移動できる状態であり、上げる開放位置及び下げるロック位置を備える。切替用突出ユニット４１は、スライドボタンの内側から突出し、且つ切替え動作には突出ユニットが貫通穴を貫通しグリップの内側スペースに入りこみ、且つ切替え用突出ユニットの末はスライドボタンが下のロック位置にある時、ガイドブロックの曲角ユニット３５と近づき、導入斜面とストップ溝の間の通路を閉鎖する。【選択図】図２
0003194732.tif 000002
【実用新案登録請求の範囲】
【請求項１】
シャワーヘッド１０の散水コントロール機構Ａであり、その散水コントロール機構Ａはシャワーヘッド１０のグリップ１１の底の一部に設置し、且つシャワーヘッド１０の給水口１２に設置した弾力性ラバー１３と相応し、該弾力性ラバー１３にはガイド柱１３２が付き、それに、該散水コントロール機構Ａには貫通穴２０をシャワーヘッド１０のグリップ１１の底の一部にグリップ１１を貫通になり、外側の形態では、グリップ１１の内側に一つの固定式ガイド台座３０を固定位置に設置し、該固定式ガイド台座３０には、三角形のガイドブロック３１を設置し、該ガイドブロック３１には、導入斜面３２・ストップ溝３３及び返還ガイド面３４を含み、其の中、該導入斜面３２と弾力性ラバー１３のガイド柱１３２に相応し、又該導入斜面３２とストップ溝３３の間には曲角部分３５によってリンクし、それに、スライドボタン４０がグリップ１１の底の表側に設置し、該貫通穴２０に沿って上下に移動できる状態であり、該スライドボタン４０の作動構成には、上位置に開放、下位置にロックの作動が含まれ、少なくとも一つの方向に切替えておき、その切替え動作には突出ユニット４１を用いられ、スライドボタン４０の内側から突出する形態であり、且つ切替え動作には突出ユニット４１が貫通穴２０を貫通しグリップ１１の内側スペースに入りこみ、且つ該切替え用突出ユニット４１の末はスライドボタン４０が下のロック位置にある時、ガイドブロック３１の曲角ユニット３５と近づき、それにもち、導入斜面３２とストップ溝３３の間の通路を閉鎖、その逆、スライドボタン４０が上の開放位置にある時、切替え用突出ユニット４１の末がガイドブロック３１の曲角ユニット３５の上にある間隔位置に移動し、導入斜面３２とストップ溝３３の間の通路を開通状態にする。
【請求項２】
請求項１で述べたシャワーヘッド１０の散水コントロール機構Ａのように、その貫通穴２０はペアの形で設置し、スライドボタン４０の内側にある切替え用突出ユニット４１、及び弾力性ラバー１３にあるガイド柱１３２もペアの形である。
【請求項３】
請求項２で述べたシャワーヘッド１０の散水コントロール機構Ａのように、その貫通穴２０の穴の縁側及びスライドボタン４０の切替え用突出ユニット４１には、お互い嵌め合える位置固定窪み縁２０１及び位置固定突出縁を設置してあり、スライドボタン４０が上の開放位置及び下のロック位置に移動する時に位置固定の効果を出させるのである。
【請求項４】
請求項３で述べたシャワーヘッド１０の散水コントロール機構Ａのように、その固定式ガイド台座３０とグリップ１１の間にはラッチ機構で位置を固定するのである。
【考案の詳細な説明】
【技術分野】
【０００１】
本考案は一種類のシャワーヘッド構造の散水コントロール構造の新しい形態である。
【背景技術】
【０００２】
本来のシャワーヘッドの散水コントロール構造の設計には、長時間の給水モードに切替えたい時、シャワーヘッドの後ろに設置したユニットで調整することになり、且つ片手では操作できない。このような便利性が欠けている欠点があることで、その後、業界からグリップの押し動作で給水モードに切替える機能の構造形態を開発していた。
【０００３】
上に述べた給水モードの切替え機能の構造形態についてはは、中華民国特許申請番号０９９１０７８９８の「シャワーヘッドの散水切替え構造」特許を参照できる。該特許には一種類のシャワーヘッドのグリップの底に設置穴を設け、切替え装置と組合せ、該切替え装置に一つの溝とブロック及びラッチで構成し、該ブロックはラッチと連動し、ラッチからブロックの上下移動を導いてある。それに該ブロックの溝とシャワーヘッド内部の給水口に設置した弾力線のバラ位或いは位置ずれによる状態で、グリップがガイドモードに導くかを判断するコントロール形態機能である。
【０００４】
上記によって、シャワーヘッドの散水コントロール構造は実際の使用上に問題点を発見した。該ラッチが上下移動の時、該ブロックも同時に移動することになり、そして該ブロックの体積や重量は通常ラッチよりも大きいである。そのため、一定の負担作用が存在し、ユーザーが指の力でラッチをスライドする時によく抵抗を感じ、操作の不便やスムーズでない欠点がある。その他、該ブロックとラッチが移動の時、よく摩擦することにより摩損しやすく、耐用性が良くない欠点がある。
【０００５】
以上の内容から、シャワーヘッドの散水コントロール構造に存在する問題点があることで、どのように実用性のある新しい構造を開発していくかはユーザーに期待され、関連業者が努力して研究開発する目標と方向性でもある。
【０００６】
そのため、本考案は考案者本人が長年関連製品の開発生産や設計経験で、上記目標に対し、慎重な設計と評価をしてから、実用性のある考案を出した。
【考案の概要】
【考案が解決しようとする課題】
【０００７】
本考案は、シャワーヘッドの散水コントロール構造を提供することを目的とし、解決しようとする課題は、更なる実用性のある新型シャワーヘッドの散水コントロール構造を開発することにある。その散水コントロール構造には、シャワーヘッドのグリップ底に設置し、且つシャワーヘッドの給水口に設置した弾力性ラバーと相応し、該弾力性ラバーにはガイド柱が備えている。
【課題を解決するための手段】
【０００８】
該散水コントロール構造には、シャワーヘッドのグリップ底にグリップの内外を貫通する形態のある貫通穴を開き、固定式ガイド台座は、グリップの内側の固定位置に設置し、該固定式ガイド台座には、三角形のガイドブロックを設置し、該ガイドブロックには、導入斜面・ストップ溝及び返還ガイド面を含み、其の中、該導入斜面と弾力性ラバーのガイド柱に相応し、又該導入斜面とストップ溝の間には曲角部分によってリンクし、それに、スライドボタンがグリップの底の表側に設置し、該貫通穴に沿って上下に移動できる状態であり、該スライドボタンの作動構成には、上位置に開放、下位置にロックの作動が含まれ、少なくとも一つの方向に切替えておき、その切替え動作には突出ユニットを用いられ、スライドボタンの内側から突出する形態であり、且つ切替え動作には突出ユニットが貫通穴を貫通しグリップの内側スペースに入りこみ、且つ該切替え用突出ユニットの末はスライドボタンが下のロック位置にある時、ガイドブロックの曲角ユニットと近づき、それにもち、導入斜面とストップ溝の間の通路を閉鎖、その逆、スライドボタンが上の開放位置にある時、切替え用突出ユニットの末がガイドブロックの曲角ユニットの上にある間隔位置に移動し、導入斜面とストップ溝の間の通路を開通状態にする。
【０００９】
このようなオリジナルな設計による本考案は背景技術に対して、該スライドボタンが上下移動する時には単独動作を行い、固定式ガイド台座と連動しない特徴で、ユーザーが操作する時には、更に省力になり、更なる便利性が増えるという利点がある。且つスライドボタン作動時の摩擦力も大幅に下がり、ユニットの使用寿命延長と耐用性を図るより良いビジネス効果にもつながる実用性と進歩性がある。
【００１０】
図１〜３に示すのは、本考案のシャワーヘッドの散水コントロール構造の好適な実施例だが、これらの実施例は説明のみに用いられるもので、特許出願の際、それらの構造に制限されないものとする。  その散水コントロール機構Ａはシャワーヘッド１０のグリップ１１の底の一部に設置し、且つシャワーヘッド１０の給水口１２に設置した弾力性ラバー１３と相応し、該弾力性ラバー１３にはガイド柱１３２が備えている。
【００１１】
該散水コントロール機構Ａには貫通穴２０をシャワーヘッド１０のグリップ１１の底にグリップ１１の内外を貫通する形態にする。
【００１２】
該グリップ１１の内側に一つの固定式ガイド台座３０を固定位置に設置し、該固定式ガイド台座３０には、三角形のガイドブロック３１を設置し、該ガイドブロック３１には、導入斜面３２・ストップ溝３３及び返還ガイド面３４を含み、其の中、該導入斜面３２と弾力性ラバー１３のガイド柱１３２に相応し、又該導入斜面３２とストップ溝３３の間には曲角部分３５によってリンクしている。
【００１３】
それに、スライドボタン４０がグリップ１１の底の表側に設置し、該貫通穴２０に沿って上下に移動できる状態であり、該スライドボタン４０の作動構成には、上位置に開放（図４）、及び下位置にロック（図６）の作動が含まれている。
【００１４】
少なくとも一つの方向に切替えておき、その切替え動作には突出ユニット４１を用いられ、スライドボタン４０の内側から突出する形態であり、且つ切替え動作には突出ユニット４１が貫通穴２０を貫通しグリップ１１の内側スペースに入りこみ、且つ該切替え用突出ユニット４１の末はスライドボタン４０が下のロック位置にある時、ガイドブロック３１の曲角ユニット３５と近づき、それにもち、導入斜面３２とストップ溝３３の間の通路を閉鎖、その逆、スライドボタン４０が上の開放位置にある時、切替え用突出ユニット４１の末がガイドブロック３１の曲角ユニット３５の上にある間隔位置に移動し、導入斜面３２とストップ溝３３の間の通路を開通状態にする。
【００１５】
図２に示すように、該貫通穴２０はペアの形で設置し、スライドボタン４０の内側にある切替え用突出ユニット４１、及び弾力性ラバー１３にあるガイド柱１３２もペアの形である。
【００１６】
図２と図７に示すように、該貫通穴２０の穴の縁側及びスライドボタン４０の切替え用突出ユニット４１には、お互い嵌め合える位置固定窪み縁２０１及び位置固定突出縁を設置してあり、スライドボタン４０が上の開放位置及び下のロック位置に移動する時に位置固定の効果を出させるのである。
【００１７】
其の中、該固定式ガイド台座３０とグリップ１１の間にはラッチ機構で位置を固定するのである。この部分の構造の具体的な実施形態は図６に示すように、該固定式ガイド台座３０のてっぺんとグリップ１１の内側には、お互い位置固定する弾力テンプレート３６及びアンダーカット１４を備えている。又該固定式ガイド台座３０の底とグリップ１１の内側には、お互い嵌め合う固定用突出縁３７及び切欠１５を備えている。
【００１８】
上記構造の組合せによって、本考案のシャワーヘッドの散水コントロール構造Ａには、該散水コントロール構造の設置で、グリップ１１の押し動作の時に弾力性ラバー１３のガイド柱１３２を固定式ガイド台座３０にあるガイドブロック３１に導くことを切替えることである。この機能は図４で示すように、スライドボタン４０を上の開放位置に移動する時、切替用突出ユニット４１の末がガイドブロック３１の曲角ユニット３５の上の間隔位置に移動する。この時、導入斜面３２とストップ溝３３の間の通路が開通状態になる。この時、該グリップ１１を一回押して（図４の矢印Ｌ１）、弾力性ラバー１３のガイド柱１３２がガイドブロック３１に接触する時、導入斜面３２に沿って上に上がり、そして曲角ユニット３５を通り、ストップ溝３３に留まる（図５）。この時、グリップ１１の押し動作が固定され、長時間給水モードに切替える。この状態で、またグリップ１１を一回押して、弾力性ラバー１３のガイド柱１３２が続いて下の返還ガイド面３４に通って、再度導入斜面３２と相応する高さの位置に戻り（図５の矢印Ｌ２）、一つのサイクルを構成することになる。そして図６に示すように、スライドボタン４０を下のロック位置に移動する時（（図６の矢印Ｌ３）、該切替用突出ユニット４１の末は該ガイドブロック３１の曲角ユニット３５に接近し、この時には、導入斜面３２とストップ溝３３の間の通路が閉鎖されることになる。この状態で、グリップ１１を押すことになると（図６の矢印Ｌ４）、弾力性ラバー１３のガイド柱１３２は導入斜面３２を通った後には、曲角ユニット３５に沿って下に移動することができなくなり、代わりに切替用突出ユニット４１に入り（図６の矢印Ｌ５）、そしてグリップ１１がまた外に弾く時には、弾力性ラバー１３のガイド柱１３２はまた導入斜面３２を通って戻ることになる。即ちこの状態で、グリップ１１の操作が最初の初期状態に戻り、押す時に給水、離す時に停めるモードになる。
【００１９】
本考案に掲示された“シャワーヘッドの散水コントロール構造”にあっては、該貫通穴、固定式ガイド台座、スライドボタン、切替用突出ユニットなどで構成されたというオリジナルな構造形態と技術特徴を持っており、本考案は背景技術に述べられた従来の構造に対して、該固定式ガイド台座はグリップに固定した形態であり、また該スライドボタンの上下移動は単独で作動され、固定式ガイド台座と連動しないため、既有のスライドボタンの負担が大きい欠点を改善され、本考案はユーザーが操作する時の省力化と更なる便利になる利点がある。それに、該スライドボタンの作動時の摩擦力も大幅下げ、ユニットの使用寿命延長と耐用性につながるという実用性と進歩性がある。
【００２０】
上述した実施例に掲示されたのは、具体的に本考案を説明するために用いられる内容であり、文の中で専門用語で説明してきたが、それらを以って、本考案の特許請求範囲を制限してはならず、当該技術の分かる者が、本考案の考えやコンセプトを理解したうえ、それらの変更や改造を行って、それと同等な効果を得たとしても、それらの変更や改造は全て、後述の特許請求範囲に含まれるものとする。
【図面の簡単な説明】
【００２１】
【図１】本考案の好適な実施例の立体図。
【図２】本考案の好適な実施例の分解立体図。
【図３】本考案の好適な実施例の断面図。
【図４】本考案のスライドボタンが上の開放位置にある時のグリップ押し動作の実施例図。
【図５】本考案の弾力性ラバーのガイド柱がガイドブロックのストップ溝に止める実施例図。
【図６】本考案のスライドボタンが下のロック位置にある時のグリップ押し動作の実施例図。
【図７】本考案の局所拡大図
【符号の説明】
【００２２】
Ａ      散水コントロール機構
１０    シャワーヘッド
１１    グリップ
１２    給水口
１３    弾力性ラバー
１３２  ガイド柱
１４    アンダーカット
１５    切欠
２０    貫通穴
２０１  位置固定窪み縁
３０    固定式ガイド台座
３１    ガイドブロック
３２    導入斜面
３３    ストップ溝
３４    返還ガイド面
３５    曲角ユニット
３６    弾力テンプレート
３７    固定用突出縁
４０    スライドボタン
４１    突出ユニット
４１２  位置固定突出縁
【図１】
0003194732.tif 000003
【図２】
0003194732.tif 000004
【図３】
0003194732.tif 000005
【図４】
0003194732.tif 000006
【図５】
0003194732.tif 000007
【図６】
0003194732.tif 000008
【図７】
0003194732.tif 000009
【手続補正書】
【提出日】平成26年10月3日(2014.10.3)
【手続補正１】
【補正対象書類名】実用新案登録請求の範囲
【補正対象項目名】全文
【補正方法】変更
【補正の内容】
【実用新案登録請求の範囲】
【請求項１】
シャワーヘッド（１０）の散水コントロール機構（Ａ）であり、その散水コントロール機構（Ａ）はシャワーヘッド（１０）のグリップ（１１）の底の一部に設置し、且つシャワーヘッド（１０）の給水口（１２）に設置した弾力性ラバー（１３）と相応し、該弾力性ラバー（１３）にはガイド柱（１３２）が付き、それに、該散水コントロール機構（Ａ）の貫通穴（２０）はシャワーヘッド（１０）のグリップ（１１）の底の一部でグリップ（１１）を貫通する状態になり、外側の形態では、グリップ（１１）の内側に一つの固定式ガイド台座（３０）を固定位置に設置し、該固定式ガイド台座（３０）には、三角形のガイドブロック（３１）を設置し、該ガイドブロック（３１）には、導入斜面（３２）・ストップ溝（３３）及び返還ガイド面３４を含み、其の中、該導入斜面（３２）と弾力性ラバー（１３）のガイド柱（１３２）に相応し、又該導入斜面（３２）とストップ溝（３３）との間には曲角ユニット（３５）によってリンクし、それに、スライドボタン（４０）がグリップ（１１）の底の表側に設置し、該貫通穴（２０）に沿って上下に移動できる状態であり、該スライドボタン（４０）の作動構成には、上位置に開放、下位置にロックの作動が含まれ、少なくとも一つの方向に切替えておき、その切替え動作には突出ユニット（４１）が用いられ、スライドボタン（４０）の内側から突出する形態であり、且つ切替え動作には突出ユニット（４１）が貫通穴（２０）を貫通しグリップ（１１）の内側スペースに入りこみ、且つ該切替え用突出ユニット（４１）の末はスライドボタン（４０）が下のロック位置にある時、ガイドブロック（３１）の曲角ユニット（３５）と近づくことにより、導入斜面（３２）とストップ溝（３３）との間の通路を閉鎖、その逆、スライドボタン（４０）が上の解放位置にある時、切替え用突出ユニット（４１）の末がガイドブロック（３１）の曲角ユニット（３５）の上にある間隔位置に移動し、導入斜面（３２）とストップ溝（３３）との間の通路を開通状態にする、ことを特徴とするシャワーヘッドの散水コントロール機構。
【請求項２】
請求項１で述べたシャワーヘッド（１０）の散水コントロール機構（Ａ）において、その貫通穴（２０）はペアの形に設置し、スライドボタン（４０）の内側にある切替え用突出ユニット（４１）、及び弾力性ラバー（１３）にあるガイド柱（１３２）もペアの形である、ことを特徴とするシャワーヘッドの散水コントロール機構。
【請求項３】
請求項２で述べたシャワーヘッド（１０）の散水コントロール機構（Ａ）において、その貫通穴（２０）の穴の縁側及びスライドボタン（４０）の切替え用突出ユニット（４１）には、お互い嵌め合える位置固定窪み縁２０１及び位置固定突出縁を設置してあり、スライドボタン（４０）が上の開放位置及び下のロック位置に移動する時に位置固定の効果を出させるのである、ことを特徴とするシャワーヘッドの散水コントロール機構。
【請求項４】
請求項３で述べたシャワーヘッド（１０）の散水コントロール機構（Ａ）において、その固定式ガイド台座（３０）とグリップ（１１）との間にはラッチ機構で位置を固定するのである、ことを特徴とするシャワーヘッドの散水コントロール機構。